(57)【要約】【課題】  ベランダの格子にアンテナを取り付けてもボルトの先端が内側に突出しないようにする。【解決手段】  アンテナ１は細い角柱の２本のベランダ格子３１ａ、３１ｂにほぼ平行に取り付けられる。この場合、１本のベランダ格子３１ａがケース本体部１ａの背面と挟持金具２１とで挟持されると共に、残る１本のベランダ格子３１ｂもケース本体部１ａの背面と挟持金具２１とで挟持されるようになる。第１ネジ部２２ａおよび第２ネジ部２２ｂは２本のベランダ格子３１ａ、３１ｂの間隔に応じてケース本体部１ａの背面に形成されている４つのネジ孔のいずれかに螺着される。第１ネジ部２２ａおよび第２ネジ部２２ｂは、従来のＵボルトと異なりベランダの内側に突出しないようになる。【選択図】  図１４
2005236609.tif 000002
【特許請求の範囲】
【請求項１】
アンテナが収納されると共に背面の右側と左側とに複数のネジ穴が一列になるよう並んで形成されている収納ケースと、
前記収納ケースの背面との間で前記アンテナを支持する支持体を挟持するほぼ中央に山型屈曲部が形成されている細長い形状の挟持金具と、
該挟持金具における前記山型屈曲部の両側にそれぞれ設けられている長孔に挿通され、前記収納ケースに形成されているいずれかの前記ネジ穴に螺着される一対のネジ手段とを備え、
前記支持体の形状に応じて、前記一対のネジ手段が螺着される前記ネジ穴を選択できるようにしたことを特徴とするアンテナの取付構造。
【請求項２】
前記挟持金具に形成されている一方の長孔がＬ字状切欠とされて、前記ネジ穴に螺着された状態の前記ネジ手段を前記Ｌ字状切欠に挿通できるようにされていることを特徴とする請求項１記載のアンテナの取付構造。
【請求項３】
前記収納ケースに形成されている前記ネジ穴が、袋構造とされて前記ネジ穴からの雨水の浸入を防止できるようにされていることを特徴とする請求項１記載のアンテナの取付構造。
【発明の詳細な説明】
【技術分野】
【０００１】
本発明は、アンテナが収納される収納ケースを有するアンテナの取付構造に関し、特に地上デジタル放送を受信するアンテナの取付構造に適用して好適なものである。
【背景技術】
【０００２】
地上デジタル放送は、従来のアナログ放送と異なり、一定レベル以上での到来電波を受信できさえすればデジタル信号であることから鮮明な映像を得られる。従って、地上デジタル放送を受信するアンテナは必ずしも高利得である必要はない。このため、従来のアンテナに比べ、小型で扱いやすい形状のアンテナが期待されている。従来のＵＨＦ帯で動作可能なＵＨＦテレビアンテナには、八木・宇田アンテナを動作原理とする放射素子と反射素子（反射板）とを配列したアンテナが知られている。このアンテナにおいて、放射素子と反射素子（反射板）との間隔は、動作周波数帯の中心周波数の波長をλとした際に通常約λ／４とされていることから、奥行きの長い大きい形状のアンテナになってしまうことになる。そこで、本出願人は、奥行きを短くすることのできる小さい形状の地上デジタル放送を受信するに好適なアンテナを提案している（特願２００３−２８６５０２）。
【発明の開示】
【発明が解決しようとする課題】
【０００３】
上記提案しているアンテナの一例は、図１８に示すように収納ケースに収納されたアンテナ１００とされている。このような箱状の収納ケースを備えるアンテナ１００を取付支柱１４０に取り付けるには、従来、図１８に示すようにＵボルト１２０をアンテナ１００の背面に挿通し、取付支柱１４０をアンテナ１００の背面とで挟持するよう細長い形状の取付金具１２１をＵボルト１２０の両側に挿通した後、Ｕボルト１２０の先端に蝶ネジ１２２を螺着して取付金具１２１を締着している。これにより、アンテナ１００の背面と山型に屈曲された取付金具１２１の部分により断面が丸い棒状の取付支柱１４０にアンテナ１００を取り付けることができるようになる。
前述したように、アンテナ１００は奥行きの短い小さい形状のアンテナであることから取付支柱１４０を立てることなく、一般的にアンテナはベランダの格子等に取り付けられるようになる。しかしながら、図１８に示す取付構造によりベランダの格子等にアンテナ１００を取り付けると、Ｕボルト１２０の先端がベランダの内側に突出するようになり危険であると云う問題点があった。
【０００４】
そこで、本発明はベランダの格子等にアンテナを取り付けてもボルトの先端が内側に突出しないようにしたアンテナの取付構造を提供することを目的としている。
【課題を解決するための手段】
【０００５】
上記目的を達成するために、本発明のアンテナの取付構造は、アンテナが収納される収納ケースの背面にネジ手段が螺着されるネジ穴を設け、挟持金具の長孔に挿通されたネジ手段をネジ穴に螺着することにより、収納ケースの背面と挟持金具とで支持体を挟持することを最も主要な特徴としている。
【発明の効果】
【０００６】
本発明によれば、挟持金具の長孔に挿通されたネジ手段をネジ穴に螺着することにより、収納ケースの背面と挟持金具とで支持体を挟持することから、支持体をベランダの格子等とした際にベランダの内側にはネジ手段の頭しか存在せずネジ手段が内側に突出しない構造とすることができる。
【発明を実施するための最良の形態】
【０００７】
ベランダの格子にアンテナを取り付けてもボルトの先端が内側に突出しないアンテナの取付構造を提供するという目的を、挟持金具の長孔に挿通されたネジ手段をネジ穴に螺着して、収納ケースの背面と挟持金具とで支持体を挟持することで実現した。
【０００８】
本発明のアンテナの取付構造を備えるアンテナの実施例の構成を図１ないし図４に示す。ただし、図１は本発明のアンテナの取付構造を備えるアンテナの構成を示す正面図であり、図２は本発明のアンテナの取付構造を備えるアンテナの構成を示す背面図であり、図３は本発明のアンテナの取付構造を備えるアンテナの構成を示す側面図であり、図４は本発明のアンテナの取付構造を備えるアンテナの構成を示す底面図である。
これらの図に示すように、本発明のアンテナの取付構造を備えるアンテナ１は、矩形の箱状の収納ケースに収納されており、収納ケースはケース本体部１ａと、ケース本体部１ａに嵌合されているケース蓋部１ｂから構成されている。ケース本体部１ａの下面には図４に示すように同軸端子１１と同軸端子１２が設けられている。同軸端子１１は、ＣＳ／ＢＳ受信信号を入力する同軸端子であり、アンテナ１において受信された地上デジタル放送の受信信号と同軸端子１１から入力されたＣＳ／ＢＳ受信信号とが混合されて同軸端子１２から出力される。ケース本体部１ａとケース蓋部１ｂとは、電波透過性の合成樹脂を成形することにより作成されている。
【０００９】
ケース本体部１ａの背面には本発明のアンテナの取付構造がアンテナ取付部２として示されている。このアンテナ取付部２は、ケース本体部１ａの背面と、ケース本体部１ａの背面に対向して配置される細長い形状の挟持金具２１の間にアンテナ１を支持する支持体を挟持するようにされている。なお、図４に示すようにケース本体部１ａの背面のほぼ中央には支持体が嵌入可能なＶ字状の凹溝１５が略垂直に形成されており、挟持金具２１には凹溝１５に対向して山型屈曲部が形成されている。この挟持金具２１は、頭部に回動摘みが設けられた第１ネジ部２２ａと第２ネジ部２２ｂとの一対のネジ部によりケース本体部１ａの背面に固着される。
【００１０】
アンテナ１における収納ケースの構成が図５および図６に示されている。図５はアンテナにおける収納ケースの構成を示す背面図であり、図６はアンテナにおける収納ケースの構成を示す上面図である。
これらの図に示すように、ケース本体部１ａの背面のほぼ中央にはＶ字状の凹溝１５が略垂直に形成されており、この凹溝１５の両側に２つずつのネジ孔がほぼ一列に配列されて形成されている。凹溝１５の向かって右側には第１ネジ孔１３ａと第２ネジ孔１３ｂが形成されており、凹溝１５の向かって左側には第３ネジ孔１４ａと第４ネジ孔１４ｂが形成されている。第１ネジ部２２ａは第１ネジ孔１３ａと第２ネジ孔１３ｂのいずれかに螺着され、第２ネジ部２２ｂは第３ネジ孔１４ａと第４ネジ孔１４ｂのいずれかに螺着される。なお、Ｖ字状の凹溝１５のＶ角度はほぼ直角とされて一般的に直角とされている支持体の角を確実に保持できるようにしている。
【００１１】
挟持金具２１の詳細な構成が図７および図８に示されている。図７は挟持金具２１の構成を示す平面図であり、図８は挟持金具２１の構成を示す正面図である。
これらの図に示すように、挟持金具２１は細長い形状とされており長辺の両側縁がほぼ直角に折曲されてリブが形成されており、このリブにより曲げ強度が向上されている。挟持金具２１のほぼ中央部には丸みを帯びた頂部とされている山型屈曲部２１ａが形成されており、山型屈曲部２１ａの向かって左側に第２延伸部２１ｃが延伸されており、山型屈曲部２１ａの向かって右側に第１延伸部２１ｂが延伸されている。この山型屈曲部２１ａの曲げ角度が９０°未満とされて一般的に直角とされている支持体の角が頂部に当たらないようにしている。また、山型屈曲部２１ａの曲げ角度を９０°未満とすることにより、支持体の山型屈曲部２１ａに対する座りが向上するようになる。第２延伸部２１ｃには第２ネジ部２２ｂが挿通される細長い長孔２１ｅが形成されており、第１延伸部２１ｂには第１ネジ部２２ａが挿通される細長いＬ字状のＬ字状切欠２１ｄが形成されている。なお、山型屈曲部２１ａと第１延伸部２１ｂおよび第２延伸部２１ｃとの境界部分には丸みを形成するようにして、製作時に割れが生じないようにしている。
【００１２】
次に、ほぼ一列に配置されている第１ネジ孔１３ａ、第２ネジ孔１３ｂおよび第３ネジ孔１４ａ、第４ネジ孔１４ｂと、長孔２１ｅおよびＬ字状切欠２１ｄとの作用について図９ないし図１１を参照して説明する。
図９はアンテナ１を支持させる支持体の幅を広くとる場合であり、第２ネジ部２２ｂを長孔２１ｅに挿通した後に外側に位置する第４ネジ孔１４ｂに螺着する。次いで、アンテナ１の背面に当接した支持体を挟持するように挟持金具２１を第２ネジ部２２ｂを支点として回転させて、外側に位置する第１ネジ孔１３ａに螺着されている第１ネジ部２２ａを、図示するようにＬ字状切欠２１ｄの切欠口に当接させて切欠口からＬ字状切欠２１ｄ内に挿通させる。そして、第１ネジ部２２ａおよび第２ネジ部２２ｂを締着することによりアンテナ１を幅の広い支持体に固着することができるようになる。この場合、第１ネジ部２２ａと第２ネジ部２２ｂとの間隔は第１ネジ孔１３ａから第４ネジ孔１４ｂまでの最も広い間隔となる。
【００１３】
図１０はアンテナ１を支持させる支持体の幅が少し狭くなった場合であり、第２ネジ部２２ｂを長孔２１ｅに挿通した後に内側に位置する第３ネジ孔１４ａに螺着する。次いで、アンテナ１の背面に当接した支持体を挟持するように挟持金具２１を第２ネジ部２２ｂを支点として回転させて、外側に位置する第１ネジ孔１３ａに螺着されている第１ネジ部２２ａを、図示するようにＬ字状切欠２１ｄの切欠口に当接させて切欠口からＬ字状切欠２１ｄ内に挿通させる。そして、第１ネジ部２２ａおよび第２ネジ部２２ｂを締着することによりアンテナ１を少し幅の広い支持体に固着することができるようになる。この場合、第１ネジ部２２ａと第２ネジ部２２ｂとの間隔は第１ネジ孔１３ａから第３ネジ孔１４ａまでの中間的な間隔となる。この場合、挟持金具２１の山型屈曲部２１ａに支持体が当接するよう挟持金具２１を長孔２１ｅおよびＬ字状切欠２１ｄの範囲内で移動することが可能である。
【００１４】
図１１はアンテナ１を支持させる支持体の幅が狭い場合であり、第２ネジ部２２ｂを長孔２１ｅに挿通した後に内側に位置する第３ネジ孔１４ａに螺着する。次いで、アンテナ１の背面に当接した支持体を挟持するように挟持金具２１を第２ネジ部２２ｂを支点として回転させて、内側に位置する第２ネジ孔１３ｂに螺着されている第１ネジ部２２ａを、図示するようにＬ字状切欠２１ｄの切欠口に当接させて切欠口からＬ字状切欠２１ｄ内に挿通させる。そして、第１ネジ部２２ａおよび第２ネジ部２２ｂを締着することによりアンテナ１を幅の狭い支持体に固着することができるようになる。この場合、第１ネジ部２２ａと第２ネジ部２２ｂとの間隔は第２ネジ孔１３ｂから第３ネジ孔１４ａまでの最も狭い間隔となる。この場合、挟持金具２１の山型屈曲部２１ａに支持体が当接するよう挟持金具２１を長孔２１ｅおよびＬ字状切欠２１ｄの範囲内で移動することが可能である。
【００１５】
次に、ベランダ支柱にアンテナ１を取り付けた第１の態様を図１２に示す。
この図に示すように、アンテナ１は角柱のベランダ支柱３０に斜めに取り付けられて、アンテナ１の指向性がベランダ支柱３０からなるベランダに対して斜め方向となる。この場合、ベランダ支柱３０の角の一つがケース本体部１ａの背面に形成されている凹溝１５に嵌入され、その角の対角線上にある角が挟持金具２１の山型屈曲部２１ａに嵌入されて挟持されるようになる。第１ネジ部２２ａおよび第２ネジ部２２ｂはベランダ支柱の幅に応じた第１ネジ孔１３ａないし第４ネジ孔１４ｂのいずれかに螺着される。山型屈曲部２１ａの曲げ角度は、例えば約８０°とされて図示するようにベランダ支柱３０の角が山型屈曲部２１ａの頂部に当たらないようになっている。なお、第１ネジ部２２ａおよび第２ネジ部２２ｂは、その頭部の回動摘みを持って回転させることによりケース本体部１ａに締着されており、図示するように第１ネジ部２２ａおよび第２ネジ部２２ｂは、従来のＵボルトと異なりベランダの内側に突出しないようになる。
【００１６】
次に、ベランダ支柱にアンテナ１を取り付けた第２の態様を図１３に示す。
この図に示すように、アンテナ１は角柱のベランダ支柱３０の長辺にほぼ平行に取り付けられて、アンテナ１の指向性がベランダ支柱３０からなるベランダに対して直交する方向となる。この場合、ベランダ支柱３０の長辺の一面がケース本体部１ａの背面に当接され、対向する長辺の面が挟持金具２１に当接されて挟持されるようになる。第１ネジ部２２ａおよび第２ネジ部２２ｂはベランダ支柱の長辺の幅に応じた第１ネジ孔１３ａないし第４ネジ孔１４ｂのいずれかに螺着される。なお、第１ネジ部２２ａおよび第２ネジ部２２ｂは、その頭部の回動摘みを持って回転させることによりケース本体部１ａに締着されており、図示するように第１ネジ部２２ａおよび第２ネジ部２２ｂは、従来のＵボルトと異なりベランダの内側に突出しないようになる。
【００１７】
次に、ベランダ格子にアンテナ１を取り付けた態様を図１４に示す。
この図に示すように、アンテナ１は細い角柱の２本のベランダ格子３１ａ、３１ｂにほぼ平行に取り付けられて、アンテナ１の指向性がベランダ格子３１ａ、３１ｂからなるベランダに対して直交する方向とされている。この場合、１本のベランダ格子３１ａがケース本体部１ａの背面と挟持金具２１とで挟持されると共に、残る１本のベランダ格子３１ｂもケース本体部１ａの背面と挟持金具２１とで挟持されるようになる。第１ネジ部２２ａおよび第２ネジ部２２ｂは２本のベランダ格子３１ａ、３１ｂの間隔に応じた第１ネジ孔１３ａないし第４ネジ孔１４ｂのいずれかに螺着される。これにより、図示するように１本のベランダ格子３１ａを第１ネジ部２２ａと第２ネジ部２２ｂとの間の間隔に挟持して、残る１本のベランダ格子３１ｂを第１ネジ部２２ａの外側に挟持できるようになる。このように挟持することにより、第１ネジ部２２ａと第２ネジ部２２ｂとの間隔を超えたベランダ格子にアンテナ１を固着することができるようになる。なお、第１ネジ部２２ａおよび第２ネジ部２２ｂは、その頭部の回動摘みを持って回転させることによりケース本体部１ａに締着されており、図示するように第１ネジ部２２ａおよび第２ネジ部２２ｂは、従来のＵボルトと異なりベランダの内側に突出しないようになる。
【００１８】
次に、取付支柱４０にアンテナ１を取り付けた態様を図１５に示す。
この図に示すように、アンテナ１はほぼ垂直に起立されている丸棒状の取付支柱４０に取り付けられている。アンテナ１の指向性はアンテナ１を回転させることにより任意の方向に設定することができる。この場合、取付支柱４０はケース本体部１ａの背面に形成されている凹溝１５と挟持金具２１の山型屈曲部２１ａに嵌入されて挟持されるようになる。なお、第１ネジ部２２ａおよび第２ネジ部２２ｂは、その頭部の回動摘みを持って回転させることによりケース本体部１ａに締着されており、図示するように第１ネジ部２２ａおよび第２ネジ部２２ｂは、従来のＵボルトと異なりネジ部の端部が突出しないようになる。
【００１９】
次に、ベランダ格子にアンテナ１を取り付けた態様の側面図を図１６に示す。
アンテナ１は細い角柱の２本のベランダ格子３１の面に、図１４に示すようにほぼ平行に取り付けられている。図１６には、第１ネジ部２２ａがケース本体部１ａに回り止めされて嵌挿されている雌ネジ部１ｃに螺着されている構成が断面図で示されている。この図に示すように、ケース本体部１ａにおける第１ネジ部２２ａが雌ネジ部１ｃから突出した部位は、ケース本体部１ａに形成されている袋構造の第２ネジ孔１３ｂに収納されるようになる。これにより、第１ネジ部２２ａを伝わって雨水が第２ネジ孔１３ｂ内に侵入しても、第２ネジ孔１３ｂからアンテナ１内部に雨水が浸入することを防止することができる。なお、第１ネジ孔１３ａないし第４ネジ孔１４ｂの全てが袋構造に形成されている。
ネジ孔がこのように袋構造に形成されていない構成例を図１７に示す。図１７においては、ケース本体部１０１ａに貫通孔が形成され、ケース蓋部１０１ｂにネジ孔１１３が形成されている。挟持金具１２１を固着するネジ部１２２はケース本体部１０１ａに形成されている貫通孔に挿通されてケース蓋部１０１ｂに形成されているネジ孔１１３に螺着される。この場合、ネジ部１２２を伝わって雨水が浸入すると、雨水はケース本体部１０１ａとケース蓋部１０１ｂとの間の間隙１１０から内部に浸入して悪影響をアンテナに与えるようになる。
【００２０】
以上説明した本発明の取付構造において、ネジ孔は第１ネジ孔１３ａないし第４ネジ孔１４ｂに限らず、２つまたは３つとしても５つ以上としても良い。また、挟持金具２１は一般的には金属製とされるが、これに限るものではなく高強度の樹脂製としても良い。また、挟持金具２１には長孔とＬ字状切欠を設けるようにしたが、これに替えて２つの長孔を設けるようにしても良い。さらに、アンテナの支持体をベランダの支柱や格子等としたが、これに限るものではなく室内や室外に起立されているものを支持体とすることができる。
【産業上の利用可能性】
【００２１】
なお、以上の説明では地上デジタル放送を受信するアンテナの取付構造としたが、本発明は、これに限るものではなく箱状のケースを備えるアンテナの取付構造に適用することができるものである。
【図面の簡単な説明】
【００２２】
【図１】本発明のアンテナの取付構造を備えるアンテナの構成を示す正面図である。
【図２】本発明のアンテナの取付構造を備えるアンテナの構成を示す背面図である。
【図３】本発明のアンテナの取付構造を備えるアンテナの構成を示す側面図である。
【図４】本発明のアンテナの取付構造を備えるアンテナの構成を示す底面図である。
【図５】本発明のアンテナの取付構造にかかるアンテナの収納ケースの構成を示す背面図である。
【図６】本発明のアンテナの取付構造にかかるアンテナの収納ケースの構成を示す上面図である。
【図７】本発明のアンテナの取付構造における挟持金具の構成を示す平面図である。
【図８】本発明のアンテナの取付構造における挟持金具の構成を示す正面図である。
【図９】本発明のアンテナの取付構造において支持体を挟持するための一態様を示す図である。
【図１０】本発明のアンテナの取付構造において支持体を挟持するための他の態様を示す図である。
【図１１】本発明のアンテナの取付構造において支持体を挟持するためのさらに他の態様を示す図である。
【図１２】本発明のアンテナの取付構造にかかるアンテナをベランダ支柱に取り付けた第１の取付態様を示す図である。
【図１３】本発明のアンテナの取付構造にかかるアンテナをベランダ支柱に取り付けた第２の取付態様を示す図である。
【図１４】本発明のアンテナの取付構造にかかるアンテナをベランダ格子に取り付けた取付態様を示す図である。
【図１５】本発明のアンテナの取付構造にかかるアンテナを取付支柱に取り付けた取付態様を示す図である。
【図１６】本発明のアンテナの取付構造にかかるアンテナをベランダ格子に取り付けた取付態様の側面図である。
【図１７】アンテナの取付構造においてネジ孔が袋構造に形成されていない構成例を示す図である。
【図１８】箱状の収納ケースを備えるアンテナを取付支柱に取り付けた従来の取付構造を示す図である。
【符号の説明】
【００２３】
１  アンテナ、１ａ  ケース本体部、１ｂ  ケース蓋部、１ｃ  雌ネジ部、２  アンテナ取付部、１１  同軸端子、１２  同軸端子、１３ａ  第１ネジ孔、１３ｂ  第２ネジ孔、１４ａ  第３ネジ孔、１４ｂ  第４ネジ孔、１５  凹溝、２１  挟持金具、２１ａ  山型屈曲部、２１ｂ  第１延伸部、２１ｃ  第２延伸部、２１ｄ  Ｌ字状切欠、２１ｅ  長孔、２２ａ  第１ネジ部、２２ｂ  第２ネジ部、３０  ベランダ支柱、３１  ベランダ格子、３１ａ  ベランダ格子、３１ｂ  ベランダ格子、４０  取付支柱、１００  アンテナ、１０１ａ  ケース本体部、１０１ｂ  ケース蓋部、１１３  ネジ孔、１２０  ボルト、１２１  取付金具、１２２  ネジ部、１２２  蝶ネジ、１４０  取付支柱
【図１】
2005236609.tif 000003
【図２】
2005236609.tif 000004
【図３】
2005236609.tif 000005
【図４】
2005236609.tif 000006
【図５】
2005236609.tif 000007
【図６】
2005236609.tif 000008
【図７】
2005236609.tif 000009
【図８】
2005236609.tif 000010
【図９】
2005236609.tif 000011
【図１０】
2005236609.tif 000012
【図１１】
2005236609.tif 000013
【図１２】
2005236609.tif 000014
【図１３】
2005236609.tif 000015
【図１４】
2005236609.tif 000016
【図１５】
2005236609.tif 000017
【図１６】
2005236609.tif 000018
【図１７】
2005236609.tif 000019
【図１８】
2005236609.tif 000020